(57)【特許請求の範囲】
【請求項１】
給水管が内部に挿入されて外周面に環状凹部が形成された鞘管を、前記給水管及び給水栓の相互を接続する水栓ボックスの一端に接続するための鞘管接続部材であって、
前記水栓ボックスへの前記鞘管の接続を補助すべく鞘管の挿入を許し、且つ前記水栓ボックスに設けられた筒状の挿入部内に嵌合される筒部材を備え、該筒部材の外周面には、前記挿入部内への筒部材の嵌合状態で、前記挿入部の内周壁に形成されて、径方向へ弾性変形可能な係止爪の先端から、内方へ向けて突出している係止部に、少なくとも何れか一つを係合させる筒部材の凹部が、該筒部材の軸線に沿って互いに間隔をおいて複数形成されており、筒部材の内周面には、筒部材内への鞘管の挿入状態で鞘管の環状凹部に係合すべく内周面から内方に突出する突起部が形成されていると共に、前記鞘管の環状凹部は、該鞘管をその周方向に沿って廻るように形成されて、該突起部は、筒部材の内周面に筒部材の周方向に沿って、環状に形成されていることを特徴とする鞘管接続部材。
【発明の詳細な説明】
【技術分野】
【０００１】
本発明は、いわゆる鞘管ヘッダー工法において、鞘管と水栓ボックスとの接続に用いるのに好適な鞘管接続部材に関する。
【背景技術】
【０００２】
従来、建物内の給水配管工法として、例えば壁内に設けられた水栓ボックスに、ヘッダーから伸びる鞘管を接続することにより、該鞘管内に通された給水管を水栓ボックスに設けられた給水栓に接続する鞘管ヘッダー工法が知られている（例えば、特許文献１乃至２参照。）。
【０００３】
水栓ボックスには、鞘管の挿入を許す筒状の挿入部が設けられている。鞘管の外周面には、凹部が形成されており、挿入部の周壁には、該周壁から挿入部の内方へ突出する係止爪が形成されている。鞘管を筒部材内に挿入し、鞘管に形成された凹部に挿入部の係止爪を係止させることにより、鞘管を水栓ボックスに接続することができる。
【０００４】
鞘管は、例えばその使用目的に応じて外径の大きさが異なり、このため、施工現場では、外径の異なる鞘管毎に専用の水栓ボックスが用意される。
【特許文献１】特開平９−２６０６８号（第３頁、図１）
【特許文献２】特開平１０−１６８９５９号（第２−３頁、図２）
【発明の開示】
【発明が解決しようとする課題】
【０００５】
しかしながら、鞘管毎に専用の水栓ボックスが用意されることから、例えば施工現場で用意された鞘管を、その外径よりも小さい外径を有する他の鞘管に急遽取り替える必要がある場合、前記他の鞘管に形成された凹部に挿入部の係止爪を係合することができず、水栓ボックスに前記他の鞘管を接続することができない。水栓ボックスを、前記他の鞘管に適合する他の水栓ボックスに取り替えることが考えられるが、水栓ボックスを施工現場で急遽取り替える場合には、施工現場に前記他の水栓ボックスが用意されていないことが多く、水栓ボックスを取り替えることができず、また、前記他の水栓ボックスが施工現場にたとえ用意されていたとしても、建物に既に組み付けられた水栓ボックスを前記他の水栓ボックスに組み付け替えるのに手間がかかり、施工時間の延長を招く。
【０００６】
そこで、本発明の目的は、鞘管の外径が変更された場合でも、水栓ボックスを取り替えることなく鞘管を水栓ボックスに容易に接続することができる鞘管接続部材を提供することにある。
【課題を解決するための手段】
【０００７】
上記課題を解決するために、請求項１に記載の発明は、給水管が内部に挿入されて外周面に環状凹部が形成された鞘管を、前記給水管及び給水栓の相互を接続する水栓ボックスの一端に接続するための鞘管接続部材であって、前記水栓ボックスへの前記鞘管の接続を補助すべく鞘管の挿入を許し、且つ前記水栓ボックスに設けられた筒状の挿入部内に嵌合される筒部材を備え、該筒部材の外周面には、前記挿入部内への筒部材の嵌合状態で、前記挿入部の内周壁に形成されて、径方向へ弾性変形可能な係止爪の先端から、内方へ向けて突出している係止部に、少なくとも何れか一つを係合させる筒部材の凹部が、該筒部材の軸線に沿って互いに間隔をおいて複数形成されており、筒部材の内周面には、筒部材内への鞘管の挿入状態で鞘管の環状凹部に係合すべく内周面から内方に突出する突起部が形成されていると共に、前記鞘管の環状凹部は、該鞘管をその周方向に沿って廻るように形成されて、該突起部は、筒部材の内周面に筒部材の周方向に沿って、環状に形成されている鞘管接続部材を特徴としている。
【発明の効果】
【００１２】
請求項１に記載の発明によれば、鞘管接続部材は、鞘管の挿入を許し且つ水栓ボックスに設けられた筒状の挿入部内に嵌合される筒部材を備え、該筒部材の外周面に、挿入部への筒部材の嵌合状態で、挿入部に形成された係止爪に係合する凹部が形成されており、筒部材の内周面に、筒部材内への鞘管の挿入状態で該鞘管の環状凹部に係合すべく内周面から筒部材の内方に突出する突起部が形成されている。
このため、例えば施工現場で用意された鞘管を、その外径よりも小さい外径を有する他の鞘管に急遽取り替える必要がある場合、筒部材内に前記他の鞘管を挿入して該鞘管の環状凹部に筒部材の突起部を係合させ、筒部材を挿入部内に挿入して挿入部の係止爪を筒部材の凹部に係合させることにより、建物に既に組み付けられた水栓ボックス、すなわち、前記他の鞘管に適合しない水栓ボックスに、前記他の鞘管を筒部材を介して接続することができる。
【００１３】
従って、鞘管の外径の変更時に、建物に既に組み付けられた水栓ボックスを他の水栓ボックスに取り替える必要はないので、水栓ボックスを組み付け替えることによる従来のような施工時間の延長を招くことなく、建物に既に組み付けられた水栓ボックスに前記他の鞘管を容易に接続することができる。
【００１４】
また、鞘管の環状凹部は、鞘管をその周方向に沿って廻るように形成されており、筒部材の内周面に形成された突起部が、筒部材の周方向に伸びていることから、鞘管を例えば単一のピン状の突起部で係止する場合に比べて、鞘管への突起部の係止力を高めることができるので、鞘管を筒部材内により確実に保持することができる。
【発明を実施するための最良の形態】
【００１９】
本発明を図示の実施例に沿って説明する。
【実施例】
【００２０】
図１は、従来よく知られた鞘管ヘッダー工法において、住宅に設けられた水栓ボックス１１に、給水管１２が挿入された鞘管１３を接続するのに本発明に係る鞘管接続構造１０を用いた例を示す。
【００２１】
鞘管１３は、従来よく知られているように、住宅の例えば床下空間内に配置された図示しないヘッダーから前記床下空間内を経て水栓ボックス１１に伸びる。
鞘管１３の外周面１３ａには、複数の環状凹部１３ｂが形成されている。各環状凹部１３ｂは、図示の例では、鞘管１３をその周方向に廻り且つ鞘管１３の軸線に沿って互いに等間隔をおいて、鞘管１３の外周面１３ａに形成されている。
鞘管１３には、従来よく知られているように、例えばその使用目的に応じて選択的に使用可能となるように、外径の異なる複数の種類があり、外径の異なる鞘管１３毎に専用の水栓ボックス１１が製造されている。
【００２２】
水栓ボックス１１は、住宅の例えば壁１６に取り付けられるボックス本体１４と、該ボックス本体に設けられ、鞘管１３が挿入される挿入部１５とを備える。
【００２３】
ボックス本体１４は、住宅の壁１６の裏面１６ａに当接可能な当接面１４ａを有する。当接面１４ａには、壁１６に形成された開口１６ｂを経て住宅の室内側（図１で見て、壁１６の右側である。）から図示しない給水栓が取り付けられる取付口１８が形成されている。また、ボックス本体１４の下面１４ｂには、ボックス本体１４内への給水管１２の挿入を許す挿入口１９が形成されている。挿入口１９を経てボックス本体１４内に挿入された給水管１２は、ボックス本体１４内に設けられた管継手２０により前記給水栓と接続される。
【００２４】
挿入部１５は、鞘管１３の挿入を許す円筒部材２１と、該円筒部材に取り付けられ、円筒部材２１内に挿入された鞘管１３を係止するための筒状の係止部材２２とで構成されている。
【００２５】
円筒部材２１は、その一端部２１ａでボックス本体１４の挿入口１９の縁部１９ａに挿入口１９を取り巻くように設けられている。円筒部材２１の他端部２１ｂにおける外周面２３は、図示の例では、ねじ切りされている。円筒部材２１の口径は、外径の異なる鞘管１３に応じて製造された水栓ボックス１１毎に異なる。
【００２６】
係止部材２２は、その一端部に、円筒部材２１の他端部２１ｂが嵌合される嵌合端部２４を有する。嵌合端部２４の内周面２４ａは、円筒部材２１の他端部２１ｂに螺合可能となるようにねじ切りされている。嵌合端部２４が円筒部材２１の他端部２１ｂに螺合することにより、係止部材２２は円筒部材２１に取り付けられる。係止部材２２の口径は、円筒部材２１の口径と同様に、水栓ボックス１１毎に異なる。係止部材２２の周壁２５には、各水栓ボックス１１に適合する外径を有する鞘管１３が挿入された状態で、該鞘管の環状凹部１３ｂに係合可能な複数の係止爪２６が形成されている。
【００２７】
各係止爪２６は、図２に示すように、それぞれ弾性変形可能な材料で形成されている。  また、各係止爪２６は、図示の例では、係止部材２２の他端部２７に係止部材２２の周方向に沿って互いに等間隔をおいて配置されており、それぞれ係止部材２２の他端部２７から係止部材２２の軸線方向へ係止部材２２の内周面２４ａに沿って伸びる。各係止爪２６の先端２６ａには、それぞれ鞘管１３の各環状凹部１３ｂに係合される係止部２８が形成されている。
各係止部２８は、それぞれ各係止爪２６の先端２６ａから係止部材２２の内方へ向けて突出している。
【００２８】
更に、本発明に係る鞘管接続構造１０は、鞘管１３をその外径よりも大きい外径を有する鞘管に適合する水栓ボックス１１に接続するための鞘管接続部材２９を備える。
【００２９】
鞘管接続部材２９は、図２に示すように、鞘管１３の挿通を許し且つ水栓ボックス１１の挿入部１５に嵌合される円筒状の筒部材３０を備える。
【００３０】
筒部材３０の外周面３０ａには、挿入部１５の係止部材２２の各係止爪２６に係止される複数の凹部３１が形成されている。各凹部３１は、図示の例では、筒部材３０の軸線に沿って互いに間隔をおき且つ筒部材３０の周方向に廻るように、筒部材３０の外周面３０ａに形成されている。
【００３１】
また、筒部材３０の内周面３０ｂには、筒部材３０内への鞘管１３の挿入状態で該鞘管の環状凹部１３ｂに係合可能な複数の突起部３２が形成されている。各突起部３２は、図示の例では、筒部材３０の両端部及び筒部材３０の長手方向の中央部のそれぞれに筒部材３０の周方向に伸びるように形成されている。各突起部３２の先端３２ａは、図示の例では、半球状をなしている。また、各突起部３２の間隔は、鞘管１３の外周面１３ａに形成された各環状凹部１３ｂの間隔の整数倍の大きさになるように設定されている。
【００３２】
この鞘管接続部材２９を用いて鞘管１３を水栓ボックス１１に接続する際、先ず、鞘管１３の先端部を筒部材３０内に挿入し、筒部材３０の内周面３０ｂに形成された各突起部３２を、鞘管１３の外周面１３ａに形成された複数の環状凹部１３ｂ…のうち、各突起部３２に対応する環状凹部１３ｂに係合させる。このとき、前記したように、各突起部３２の先端３２ａが半球状をなしていることから、筒部材３０内への鞘管１３の挿入時に鞘管１３が各突起部３２から受ける摩擦力を低減させることができる。これにより、筒部材３０内への鞘管１３の挿入を容易に行うことができる。
【００３３】
次に、鞘管１３に取り付けられた筒部材３０を水栓ボックス１１の挿入部１５の係止部材２２内に挿入し、該係止部材に形成された各係止爪２６の係止部２８を筒部材３０の外周面３０ａに形成された各凹部３１のうち、何れか一つに係合させる。これにより、鞘管１３は係止部材２２に筒部材３０を介して固定され、これにより、鞘管１３は水栓ボックス１１に鞘管接続部材２９を介して接続される。
【００３４】
本実施例によれば、前記したように、鞘管接続部材２９は、鞘管１３の挿入を許し且つ水栓ボックス１１に設けられた筒状の挿入部１５内に嵌合される筒部材３０を備え、該筒部材の外周面３０ａに、挿入部１５への筒部材３０の嵌合状態で、挿入部１５に形成された係止爪２６に係合する凹部３１が形成されており、筒部材３０の内周面３０ｂに、筒部材３０内への鞘管１３の挿入状態で該鞘管１３の環状凹部１３ｂに係合すべく内周面３０ｂから筒部材３０の内方に突出する突起部３２が形成されている。
【００３５】
これにより、例えば施工現場で用意された鞘管１３を、その外径よりも小さい外径を有する他の鞘管に急遽取り替える必要がある場合、筒部材３０内に前記他の鞘管を挿入して該鞘管１３の環状凹部１３ｂに筒部材３０の突起部３２を係合させ、筒部材３０を挿入部１５内に挿入して挿入部１５の係止爪２６を筒部材３０の凹部３１に係合させることにより、建物に既に組み付けられた水栓ボックス１１すなわち前記他の鞘管に適合しない水栓ボックス１１に前記他の鞘管を筒部材３０を介して接続することができる。
【００３６】
従って、鞘管１３の外径の変更時に、建物に既に組み付けられた水栓ボックス１１を他の水栓ボックス１１に取り替える必要はないので、水栓ボックス１１を組み付け替えることによる従来のような施工時間の延長を招くことなく、建物に既に組み付けられた水栓ボックス１１に前記他の鞘管を容易に接続することができる。
【００３７】
また、前記したように、鞘管１３の各環状凹部１３ｂ…が、鞘管１３をその周方向に沿って廻るように形成されており、筒部材３０の内周面３０ｂに形成された各突起部３２が、それぞれ筒部材３０の周方向に伸びていることから、鞘管１３を例えば単一のピン状の突起部３２で係止する場合に比べて、鞘管１３への突起部３２の係止力を高めることができるので、鞘管１３を筒部材３０内により確実に保持することができる。
【００３８】
更に、前記したように、複数の突起部３２が筒部材３０の軸線に沿って互いに間隔をおいて形成されていることから、筒部材３０に単一の突起部３２が形成された場合に比べて鞘管１３の何れか一つの環状凹部１３ｂへの突起部３２の係合位置の自由度を高めることができるので、鞘管１３を筒部材３０内に所望の挿入位置で保持することができる。
また、複数の突起部３２が筒部材３０の軸線に沿って互いに間隔をおいて形成されていることから、筒部材３０の複数の突起部３２のうち一つの突起部３２と鞘管１３の環状凹部１３ｂとの係合がたとえ解除されたとしても、環状凹部１３ｂを他の突起部３２に係合させることができるので、挿入部１５内からの鞘管１３の抜出しをより確実に防止することができる。
【００３９】
また、前記したように、挿入部１５の係止部材２２に、複数の係止爪２６が係止部材２２の周方向に沿って形成されており、筒部材３０の凹部３１は、筒部材３０の外周面３０ａに筒部材３０の周方向に沿って廻るように形成されていることから、筒部材３０の凹部３１に複数の係止爪２６を係合することにより、筒部材３０を単一の係止爪２６で係止する場合に比べて、筒部材３０が係止爪２６から受ける係止力を高めることができるので、筒部材３０を挿入部１５内により確実に保持することができる。
【００４０】
更に、前記したように、筒部材３０の外周面３０ａに、複数の凹部３１が筒部材３０の軸線に沿って互いに間隔をおいて形成されていることから、筒部材３０に単一の凹部３１が形成された場合に比べて筒部材３０への係止爪２６の係止位置の自由度を高めることができるので、筒部材３０を挿入部１５内に所望の挿入位置で保持することができる。また、複数の凹部３１が筒部材３０の軸線に沿って互いに間隔をおいて形成されていることから、筒部材３０の複数の凹部３１のうち一つの凹部３１に係止された係止爪２６の係止がたとえ解除されたとしても、係止爪２６を他の凹部３１に係止させることができるので、挿入部１５内からの筒部材３０の抜出しをより確実に防止することができる。
【００４１】
本実施例では、鞘管１３に筒部材３０を取り付ける際、筒部材３０内に鞘管１３を挿入した例を示したが、これに代えて、図３（ａ）及び（ｂ）に示すように、筒部材３０の周壁３０ｃに、筒部材３０の軸線に沿って伸び、該筒部材の両端に開放するように周壁３０ｃを切断する切断部３３を形成し、該切断部を開くことにより、筒部材３０を鞘管１３にその側方から容易に取り付けることができる。
【００４２】
更に、図３に示した例に代えて、図４（ａ）及び（ｂ）に示すように、筒部材３０の周壁３０ｃに、筒部材３０の軸線に沿って伸び、筒部材３０の両端に開放するように切り取られた切取部３４を形成することができる。
【００４３】
この場合、鞘管１３を筒部材３０内にその切取部３４から嵌め込むことにより、筒部材３０を鞘管１３にその側方から容易に取り付けることができる。また、筒部材３０内への鞘管１３の挿入位置を視認することができる。更に、筒部材３０の周壁３０ｃが部分的に切り取られていることから、筒部材３０を成形するための材料の量を低減することができるので、製造コストの削減を図ることができる。
【００４４】
また、本実施例では、筒部材３０の外周面３０ａに複数の凹部３１が形成された例を示したが、これに代えて、例えば筒部材３０の外周面３０ａに筒部材３０の両端部及び筒部材３０の長手方向の中央部のそれぞれに凹部３１を形成することができ、または、所望の位置に単一の凹部３１を形成することができる。
【００４５】
更に、本実施例では、筒部材３０の内周面３０ｂにおける筒部材３０の両端部及び筒部材３０の長手方向の中央部のそれぞれに突起部３２が形成された例を示したが、これに代えて、単一の突起部３２を筒部材３０の内周面３０ｂに所望の位置で形成することができる。
【００４６】
また、本実施例では、各突起部３２が、それぞれ筒部材３０の周方向に沿って伸びる例を示したが、これに代えて、各突起部３２を、筒部材３０の周方向に沿って配置された複数の突起でそれぞれ構成することができる。
【図面の簡単な説明】
【００４７】
【図１】本発明に係る鞘管接続構造を概略的に示す縦断面図である。
【図２】本発明に係る鞘管接続部材を概略的に示す縦断面図である。
【図３】（ａ）は、図２に示した例とは別の鞘管接続部材を概略的に示す平面図であり、（ｂ）は、（ａ）のI−I線に沿った横断面図である。
【図４】（ａ）は、図３に示した例とは別の鞘管接続部材を概略的に示す平面図であり、（ｂ）は、（ａ）のI−I線に沿った横断面図である。
【符号の説明】
【００４８】
１１  水栓ボックス
１２  給水管
１３  鞘管
１３ａ  外周面（鞘管の外周面）
１３ｂ  環状凹部（鞘管の環状凹部１３ｂ）
１５  挿入部
２９  鞘管接続部材
３０  筒部材
２６  係止爪
３０ａ  外周面（筒部材の外周面）
３０ｂ  内周面（筒部材の内周面）
３１  凹部（筒部材の凹部）
３２  突起部
【図３】
0004693543.tif 000002
【図４】
0004693543.tif 000003
【図１】
0004693543.tif 000004
【図２】
0004693543.tif 000005